(57)【要約】      （修正有）【課題】ブラシ器具及びその製造方法に関し、その製造方法は、鉄片なしで膠による接着なしで且つブラシ毛自身の部分溶融にて溶融片を生成することによりその結合の構造安定性を強化する。【解決手段】ブラシ・ハンドルが、一つのヘッド部１１を含んでなり、且つヘッド部が、一つの第１の基板１１１と一つの第２の基板１１２を有する。ブラシ毛ユニット２が、数多くのブラシ毛およびブラシ毛と一体的に接続する溶融片２２を含んでなり、ブラシ毛が該第１の基板に穿設され且つ外に露出し、溶融片が第１の基板と第２の基板との間に介在する。ブラシ毛により底端に近づく末段が、柱状の底段部となるように溶接され、ブラシ毛自身の一部の材料を溶融してなる溶融片とブラシ・ヘッドとの結合方式により、結合する安定性を、強化できる。【選択図】図５
2017164500.tif 000002
【特許請求の範囲】
【請求項１】
ブラシ器具は、一つのブラシ・ハンドルと一つのブラシ毛ユニットを含んでなり、該ブラシ・ハンドルが一つのヘッド部を含んでなり、且つ該ヘッド部が、一つの第1の基板，一つの第2の基板，および該第1の基板と該第2の基板との間に介在するサンドイッチ空間を有し、更に該ブラシ毛ユニットが、数多くのブラシ毛および該等ブラシ毛と一体的に接続する一つの溶融片を含んでなり、該等ブラシ毛が該第1の基板に穿設され且つ外に露出し、該溶融片が該第1の基板と該第2の基板との間に介在することを特徴とする、ブラシ器具。
【請求項２】
該ヘッド部が、一つの周壁を更に含んでなり、該周壁と該第2の基板が一体成型され、該第1の基板が、溶接により該周壁に接合されることを特徴とする、請求項１に記載のブラシ器具。
【請求項３】
該第1の基板が、一つの底部，及び該底部の陥凹により形成された一つの凹穴を有し、該第1の基板と該周壁とを溶接して接合する時に、該凹穴が該第2の基板に対応して該サンドイッチ空間を区切ることを特徴とする、請求項２に記載のブラシ器具。
【請求項４】
該ヘッド部が、一つの周壁を更に含んでなり、該周壁と該第1の基板が一体成型され、該第2の基板が、溶接により該周壁に接合されることを特徴とする、請求項１に記載のブラシ器具。
【請求項５】
該第1の基板と該周壁が、一つの凹穴を廻って区切り、該第2の基板が溶接により該周壁に接合される時に、該凹穴が該第2の基板に対応して該サンドイッチ空間を区切ることを特徴とする、請求項４に記載のブラシ器具。
【請求項６】
該等ブラシ毛が、それぞれ数多くのブラシ毛束で、それぞれのブラシ毛束が、該溶融片の局部段部に接続して一体的に溶接されることを特徴とする、請求項１に記載のブラシ器具。
【請求項７】
該ブラシ器具が歯ブラシで、その中でも、該等ブラシ毛の頂端が、尖端状を呈し、且つ該等ブラシ毛の頂端が大体等しく切られることを特徴とする、請求項１ないし6の何れか一項に記載のブラシ器具。
【請求項８】
ブラシ器具の製造方法は、
数多くのブラシ毛を一つの第1の基板に穿設すること、
該等ブラシ毛の底段部を一つの溶融片となるように溶接すること、及び
該第1の基板と一つの第2の基板を結合することにより、該溶融片を該第1の基板と該第2の基板との間に介在することを、含んでなることを特徴とする、ブラシ器具の製造方法。
【請求項９】
該ブラシ器具が一つのブラシ・ハンドルを含んでなり、該ブラシ・ハンドルが一つのヘッド部を含んでなり、該ヘッド部が該第2の基板と一つの周壁を含んでなり、該第2の基板と該周壁が一体成型され、その中でも、該等ブラシ毛を該第1の基板に穿設した後に、更に該等ブラシ毛の底段部を該溶融片となるように溶接し、続いて該等ブラシ毛を穿設した該第1の基板を、更に該周壁に溶接することにより、該第2の基板と結合することを特徴とする、請求項８に記載のブラシ器具の製造方法。
【請求項１０】
該ブラシ器具が一つのブラシ・ハンドルを含んでなり、該ブラシ・ハンドルが一つのヘッド部を含んでなり、該ヘッド部が該第1の基板と一つの周壁を含んでなり、該第1の基板と該周壁が一体成型され、その中でも、該等ブラシ毛を該第1の基板に穿設した後に、更に該等ブラシ毛の底段部を該溶融片となるように溶接し、続いて該第2の基板を、更に該周壁に溶接することにより、該第1の基板と結合することを特徴とする、請求項８に記載のブラシ器具の製造方法。
【請求項１１】
該等ブラシ毛が、それぞれ数多くのブラシ毛束で、且つそれぞれのブラシ毛束のブラシ毛が底端に近づく末段は、一体的に溶接して一つの柱状の底段部を形成した後に、該等ブラシ毛束を更に該第1の基板に穿設することを特徴とする、請求項８ないし10の何れか一項に記載のブラシ器具の製造方法。
【請求項１２】
それぞれのブラシ毛束の底段部の長さが、該ブラシ毛束の全長の40％ないし60％であることを特徴とする、請求項１１に記載のブラシ器具の製造方法。
【請求項１３】
それぞれのブラシ毛束の底段部の長さが、該ブラシ毛束の全長の30％であることを特徴とする、請求項１２に記載のブラシ器具の製造方法。
【請求項１４】
それぞれのブラシ毛束の底段部を該溶融片となるように溶解する材料量は、おおよそ該底段部の長さの三分の二であることを特徴とする、請求項１１に記載のブラシ器具の製造方法。
【発明の詳細な説明】
【技術分野】
【０００１】
本発明は、ブラシ器具及びその製造方法に関するもので、特に構造を改善するブラシ器具及びその製造方法を、指す。
【背景技術】
【０００２】
一般的に例えば歯ブラシのブラシ器具が、一つのブラシ・ハンドルと複数のブラシ毛束を含んでなり、且つブラシ・ハンドルが一つのヘッド部を有し、ヘッド部が数多くの凹穴を有するが、以前のブラシ器具構造は、そのブラシ毛束がブラシ・ハンドルのヘッド部に直接に注入し或いはブラシ毛束の底段部が予め一つの金属片により挟持・固定された後に、更にがブラシ・ハンドルのヘッド部に放置され、或いはビスコースによりブラシ毛束を接着した後に、更にヘッド部の凹穴の中に注入する。
【発明の概要】
【発明が解決しようとする課題】
【０００３】
本発明の目的は、即ちブラシ器具を提供するものであり、それが金属片によりブラシ毛を挟持し或いはビスコースによりブラシ毛を接着する必要がない。
【課題を解決するための手段】
【０００４】
本発明のブラシ器具は、一つのブラシ・ハンドルと一つのブラシ毛ユニットを含んでなる。該ブラシ・ハンドルが一つのヘッド部を含んでなり、且つ該ヘッド部が、一つの第1の基板，一つの第2の基板，および該第1の基板と該第2の基板との間に介在するサンドイッチ空間を有する。該ブラシ毛ユニットが、数多くのブラシ毛および該等ブラシ毛と一体的に接続する一つの溶融片を含んでなり、該等ブラシ毛が該第1の基板に穿設され且つ外に露出し、該溶融片が該第1の基板と該第2の基板との間に介在する。
【０００５】
或る実施様態の中において、該ヘッド部が、一つの周壁を更に含んでなり、該周壁と該第2の基板が一体成型され、該第1の基板が、溶接により該周壁に接合される。
【０００６】
或る実施様態の中において、該第1の基板が、一つの底部，及び該底部の陥凹により形成された一つの凹穴を有し、該第1の基板と該周壁とを溶接して接合する時に、該凹穴が該第2の基板に対応して該サンドイッチ空間を区切る。
【０００７】
或る実施様態の中において、該ヘッド部が、一つの周壁を更に含んでなり、該周壁と該第1の基板が一体成型され、該第2の基板が、溶接により該周壁に接合される。
【０００８】
或る実施様態の中において、該第1の基板と該周壁が、一つの凹穴を廻って区切り、該第2の基板が溶接により該周壁に接合される時に、該凹穴が該第2の基板に対応して該サンドイッチ空間を区切る。
【０００９】
或る実施様態の中において、該等ブラシ毛が、それぞれ数多くのブラシ毛束で、それぞれのブラシ毛束が、該溶融片の局部段部に接続して一体的に溶接される。
【００１０】
或る実施様態の中において、該ブラシ器具が歯ブラシで、その中でも、該等ブラシ毛の頂端が、尖端状を呈し、且つ該等ブラシ毛の頂端が大体等しく切られる。
【００１１】
本発明の他の目的は、即ちブラシ器具の製造方法を提供するものであり、それが金属片によりブラシ毛を挟持し或いはビスコースによりブラシ毛を接着する必要がない。
【００１２】
本発明のブラシ器具の製造方法は、数多くのブラシ毛を一つの第1の基板に穿設すること、該等ブラシ毛の底段部を一つの溶融片となるように溶接すること、及び該第1の基板と一つの第2の基板を結合することにより該溶融片を該第1の基板と該第2の基板との間に介在することを、含んでなる。
【００１３】
或る実施様態の中において、該ブラシ器具が一つのブラシ・ハンドルを含んでなり、該ブラシ・ハンドルが一つのヘッド部を含んでなり、該ヘッド部が該第2の基板と一つの周壁を含んでなり、該第2の基板と該周壁が一体成型され、その中でも、該等ブラシ毛を該第1の基板に穿設した後に、更に該等ブラシ毛の底段部を該溶融片となるように溶接し、続いて該等ブラシ毛を穿設した該第1の基板を、更に該周壁に溶接することにより、該第2の基板と結合する。
【００１４】
或る実施様態の中において、該ブラシ器具が一つのブラシ・ハンドルを含んでなり、該ブラシ・ハンドルが一つのヘッド部を含んでなり、該ヘッド部が該第1の基板と一つの周壁を含んでなり、該第1の基板と該周壁が一体成型され、その中でも、該等ブラシ毛を該第1の基板に穿設した後に、更に該等ブラシ毛の底段部を該溶融片となるように溶接し、続いて該第2の基板を、更に該周壁に溶接することにより、該第1の基板と結合する。
【００１５】
或る実施様態の中において、該等ブラシ毛が、それぞれ数多くのブラシ毛束で、且つそれぞれのブラシ毛束のブラシ毛が底端に近づく末段は、一体的に溶接して一つの柱状の底段部を形成した後に、該等ブラシ毛束を更に該第1の基板に穿設する。
【００１６】
或る実施様態の中において、それぞれのブラシ毛束の底段部の長さが、該ブラシ毛束の全長の40％ないし60％である。
【００１７】
或る実施様態の中において、それぞれのブラシ毛束の底段部の長さが、該ブラシ毛束の全長の30％である。
【００１８】
或る実施様態の中において、それぞれのブラシ毛束の底段部を該溶融片となるように溶解する材料量は、おおよそ該底段部の長さの三分の二である。
【発明の効果】
【００１９】
本発明は、先ずブラシ毛束の該等ブラシ毛が底端に近づく末段を、柱状の底段部となるように溶接することにより、ブラシ・ハンドルとの結合・組立に寄与する以外に、更にブラシ毛の簡単な脱落を容易に避けてもよく、且つブラシ毛束が金属片を余分に使用してブラシ毛を挟持し或いはビスコースを使用して接着する必要がないので、重金属を生成し或いはビスコースから人体に有害な化学物質を分解して健康を影響する気掛りもなく、またブラシ毛をも更に集中し且つブラシ毛の量を増加でき、ひいてはブラシ器具のクリーン能力を強化することにより、該等ブラシ毛束の底段部を加熱・溶融して片状の溶融片構造となるように形成し、第1の基板と第2の基板により溶融片をその間に挟持する構造に対応すれば、つまり全体のブラシ器具の構造安定性を向上できる。
【図面の簡単な説明】
【００２０】
【図１】図１は、本発明のブラシ器具の第1の実施例の斜視分解図である。
【図２】図２は、本発明のブラシ器具の製造方法の第1の実施例の中において、数多くのブラシ毛を一つの第1の基板に穿設する模式図である。
【図３】図３は、単一のブラシ毛束の模式図である。
【図４】図４は、本発明のブラシ器具の製造方法の第1の実施例の中において、該等ブラシ毛束の底段部を一つの溶融片となるように溶接する模式図である。
【図５】図５は、本発明のブラシ器具の第1の実施例の部分素子の断面図である。
【図６】図６は、本発明のブラシ器具の製造方法の第1の実施例のステップ・フローチャートである。
【図７】図７は、本発明のブラシ器具の製造方法の第2の実施例の中において、数多くのブラシ毛を一つの第1の基板に穿設する模式図である。
【図８】図８は、本発明のブラシ器具の製造方法の第2の実施例の中において、該等ブラシ毛の底段部を一つの溶融片となるように溶接する模式図である。
【図９】図９は、本発明のブラシ器具の第2の実施例の部分素子の断面図である。
【図１０】図１０は、本発明のブラシ器具の製造方法の第2の実施例の或る変化態様の模式図で、且つ部分素子が断面図により表示される。
【図１１】図１１は、単一のブラシ毛束の他種の実施様態の模式図である。
【図１２】図１２は、本発明のブラシ器具の第3の実施例の側面図である。
【発明を実施するための形態】
【００２１】
図1，図2と図5を参照するが、本発明のブラシ器具の第1の実施例は、一つのブラシ・ハンドル1と一つのブラシ毛ユニット2を含んでなる。ブラシ・ハンドル1が一つのヘッド部11と一つのハンドル部12を有し、ヘッド部11とハンドル部12が一体成型の構造またはツーピース組立の構造であってもよい。ヘッド部11が、一つの第1の基板111，一つの第2の基板112，第1の基板111と第2の基板112との間に介在する一つのサンドイッチ空間113（図5を参照），および一つの周壁114を有する。第1の基板111が数多くの穿孔115を有する。本実施例の中において、第1の基板111が、一つの底部116，及び底部116の陥凹により形成された一つの凹穴117を更に有する。第2の基板112と周壁114は、一体成型の構造で、且つ第2の基板112と周壁114が接続して一つの頂部を形成して下向きに窪む構造である。第1の基板111が、周壁114に結合するように用いられ、且つ第2の基板112に対応してサンドイッチ空間113を区切る。或る実施例の中において、第1の基板111が、例えば超音波にて接合することにより、溶接にて周壁114に接合することにより、第1の基板111の凹穴117が、第2の基板112に対応してサンドイッチ空間113を区切る。
【００２２】
図1と図5を参照するが、ブラシ毛ユニット2が、数多くのブラシ毛束21及び前述のブラシ毛束21と一体的に接続する一つの溶融片22を含んでなる。ブラシ毛束21が、第1の基板111の穿孔115を突き抜けて通過し且つ外に露出し、溶融片22が、第1の基板111と第2の基板112との間のサンドイッチ空間113に位置する。ブラシ毛ユニット2とヘッド部11との結合方式について、ちょっと後で説明する。或る実施例の中において、それぞれのブラシ毛束21が数多くのブラシ毛を含んでなり、溶融片22が該等ブラシ毛束21のブラシ毛の一部分の材料を溶融して互いに接続して形成され、且つブラシ毛が溶融片22の局部段部に接続して一体的に溶接され、具体的な成型方式が、ちょっと後で陳述する。図3に示すように、或る実施例の中において、ブラシ毛束21のブラシ毛の頂端が、尖端状を呈し、且つ該等ブラシ毛の頂端が大体等しく切られ、こんな種類のブラシ毛束21が、より好ましくは歯ブラシとなるように製作する。その他に図11を参照するが、ブラシ毛束21'の他の実施様態の中において、そのブラシ毛の頂端の排列方式も、中央から外向き且つ下向きに傾斜することにより、ブラシ毛束21'の頂部が大体尖端状を呈してもよいが、こんな種類のブラシ毛束21が化粧器具などとなるように製作できる。
【００２３】
図2ないし図6を参照するが、本発明のブラシ器具の製造方法の第1の実施例が、以下のステップを含んでなる。
【００２４】
ステップS1：数多くのブラシ毛を一つの第1の基板111に穿設する。図2と図3を参照するが、或る実施例の中において、先ずそれぞれのブラシ毛束21の該等ブラシ毛211が底端に近づく末段を、一体的に溶接して一つの柱状の底段部212となるように形成した後に、該等ブラシ毛束21が、再びその底段部212により該第1の基板111の穿孔115に穿設され、且つ底段部212の一部分が第1の基板111の凹穴117に位置し、そしてブラシ毛束21の一体的に溶融しない上段部が、つまり第1の基板111の上方に外向きに露出する。或る実施例の中において、ブラシ毛束21の底段部212の長さL1が、ブラシ毛束21の全長L2の40％ないし60％であってもよく、より好ましくは30％である。
【００２５】
ステップS2：該等ブラシ毛の底段部212を一つの溶融片22となるように溶接する。図3と図4を参照するが、本実施例の中において、ステップS2がステップS1に続いた後に行い、それが、ステップS1の完成後に、更に該等ブラシ毛束21の底段部212の下向きに伸ばす穿孔115の部分に対し、加熱を行うことにより、該等ブラシ毛束21の底段部212が局部的に溶融し且つ互いに接続して全枚の溶融片22を形成し、第1の基板111の底部116の凹穴117の内に位置し、溶融片22の形成により、該等ブラシ毛束21が互いに接続して一体化構造となる。注意する必要があるのは、溶融片22が該等ブラシ毛束21の底段部212を溶融して接続して形成されるので、ステップS1の中において、ブラシ毛束21が第1の基板111に穿設された時に、底段部212が穿孔115を下向きに伸ばす長さL3（図2を参照）は、おおよそ底段部212の全長L1の三分の二で、且つ底段部212が穿孔115を下向きに伸ばす部分は、溶融片22となるように溶融し、言い換えると、それぞれのブラシ毛束21の底段部212を溶融片22となるように溶融する材料量が、おおよそ底段部212の全長の三分の二で、そして底段部212の残りの三分の一の長さが、穿孔115の内に位置し、且つ底段部212が、より好ましくは上向きに露出しない第1の基板111の頂面である。
【００２６】
ブラシ毛束21のブラシ毛自身が一体的な底段部212となるように溶融し、第1の基板111に穿設されることに寄与する以外に、更にブラシ毛束21が金属片により挟持し或いはビスコースにより接着する必要がなくてもよく、且つブラシ毛ユニット2とブラシ・ハンドル1を組み立てて結合する時に、ブラシ毛束21の底段部212は、三分の一の部分が依然として第1の基板111の穿孔115の内に位置し、従って更にブラシ毛の簡単な脱落をも防止できる。
【００２７】
ステップS3：第1の基板111と第2の基板112を結合することにより、溶融片22を第1の基板111と第2の基板112との間に介在する。図4と図5を参照するが、本実施例の中において、ステップS3がステップS2に続いた後に行い、それは、第1の基板111に穿設されたブラシ毛束21が、第1の基板111と共に周壁114に結合することにより、第2の基板112に結合するものである。結合時に、第1の基板111が、例えば超音波の熱溶接方式により周壁114に結合されるが、第1の基板111と周壁114との結合の関係があるので、第1の基板111の凹穴117が、第2の基板112に対応してサンドイッチ空間113を区切り、これにより、ブラシ毛ユニット2の溶融片22が、第1の基板111と第2の基板112との間に位置し、即ち前述のブラシ器具を製作できる。溶融片22が、ブラシ毛束21自身の材料から溶融して形成され、且つ第1の基板111と第2の基板112との間に挟持されるので、ブラシ毛ユニット2をブラシ・ハンドル1に結合する構造安定性を、向上できる。
【００２８】
図7と図8を参照するが、これが本発明のブラシ器具の第2の実施例で、第2の実施例と第1の実施例との差異は、第2の実施例の中において、第1の基板111'と周壁114'が一体成型し且つ対応的に凹穴117を区切ることにより、底部の窪む構造を形成し、第2の基板112'が、つまり板片構造であることにある。同様に第1の基板111'が、数多くの穿孔115を有する。
【００２９】
図6ないし図10を参照するが、本発明のブラシ器具の製造方法の第2の実施例の中において、同様に例えば前述の第1の実施例のステップS1ないしステップS3のステップを含んでなり、但し図7に示すように、第2の実施例のステップS1の中において、ブラシ毛束21の穿設した第1の基板111'が、周壁114'との一体成型の構造である。更にブラシ毛束21を穿設する前に、同様に該等ブラシ毛211が底端に近づく末段を一体的に溶接して柱状を呈する底段部212となる。
【００３０】
図8を示すように、そして第2の実施例のステップS2の中において、ブラシ毛束21の底段部212に対し、加熱を行うことにより、該等ブラシ毛束21の底段部212が局部的に溶融し且つ互いに接続して全枚の溶融片22を形成し、第1の基板111'と周壁114'により廻って区切られる凹穴117'の中に位置し、更に第1の実施例と同じで、それぞれのブラシ毛束21の底段部212を溶融片22'となるように溶解する材料量が、おおよそ底段部212の全長の三分の二で、且つ底段部212が、より好ましくは上向きに露出する第1の基板111'の頂面である。
【００３１】
図9を参照するが、第2の実施例のステップS3の中において、第2の基板112'が、例えば超音波の熱溶融方式により、溶接にて周壁114'に結合することにより、第2の基板112'が、周壁114'を介して第1の基板111'に結合し、且つ凹穴117'が、第2の基板112'に対応してサンドイッチ空間113'を区切ることにより、溶融片22がサンドイッチ空間113'に位置する。
【００３２】
故に、第2の実施例が互いに第1の実施例と比較する差異は、第1の基板111または第2の基板112によりブラシ毛ユニット2をブラシ・ハンドル1に組み立てるように実施した後に、更に超音波の熱溶接方式または他の接合方式により周壁114,114'に結合する構造である。
【００３３】
図10を参照するが、本発明のブラシ器具の製造方法の第2の実施例の変化様態の中において、先ずステップS2を行い、更に続いてステップS1とS3を行い、言い換えると、ブラシ毛束21が、先ず底段部212を部分的に溶融片22となるように溶解した後に、更にブラシ毛束21を再び第1の基板111'に穿設され、続いて第2の基板112'が周壁114'に再結合する。
【００３４】
図12を参照するが、これが本発明のブラシ器具の第3の実施例で、前述の二つの実施例との差異は、ブラシ毛ユニット2’が数多くのブラシ毛211を含み、該等ブラシ毛211が上記のように数多くのブラシ毛束の様態により表示されるものではなく、そして直接に該等ブラシ毛211の底段部により、底段部212’と溶融片22’となるように溶接されることにあるが（或いはこの実施例の全てのブラシ毛211も単束のブラシ毛と見なしてもよい）、第3の実施例の残りの構造およびプロセス工程が、つまり大体前述の実施例と同じで、第3の実施例のブラシ器具の具体的な実施例が、例えば洗面ブラシの様態であってもよい。
【００３５】
上記を総合するが、本発明は、先ずブラシ毛束21の該等ブラシ毛211が底端に近づく末段を、柱状の底段部212となるように溶接することにより、ブラシ・ハンドル1との結合・組立に寄与する以外に、更にブラシ毛の簡単な脱落を容易に避けてもよく、且つブラシ毛束21，21’が金属片を余分に使用してブラシ毛を挟持し或いはビスコースを使用して接着する必要がないので、重金属を生成し或いはビスコースから人体に有害な化学物質を分解して健康を影響する気掛りがなく、またブラシ毛211をも更に集中し且つブラシ毛の量を増加でき、ひいてはブラシ器具のクリーン能力を強化することにより、該等ブラシ毛束21の底段部212を加熱・溶融して片状の溶融片22，22’の構造となるように形成し、第1の基板111と第2の基板112により溶融片22，22’をその間に挟持する構造に対応すれば、つまり全体のブラシ器具の構造安定性を向上できる。
【００３６】
以上の詳細な説明は、本発明に対して実行可能な実施例の具体的な説明で、但し該実施例が本発明の特許請求の範囲を限定するために用いられるものではなく、例えば本発明の技術精神をまだ脱離しないことにより作成された等価な実施または変更が、いずれも本発明の特許請求の範囲中に含まれるべきである。
【符号の説明】
【００３７】
L1  底段部の長さ
L2  ブラシ毛束の全長
L3  長さ
1  ブラシ・ハンドル
2、2'  ブラシ毛ユニット
11  ヘッド部
12  ハンドル部
21、21'  ブラシ毛束
22  溶融片
111、111'  第1の基板
112、112'  第2の基板
113、113'  サンドイッチ空間
114、114'  周壁
115  穿孔
116  底部
117、117'  凹穴
211  ブラシ毛
212、212'  底段部
212”  底段部
【図１】
2017164500.tif 000003
【図２】
2017164500.tif 000004
【図３】
2017164500.tif 000005
【図４】
2017164500.tif 000006
【図５】
2017164500.tif 000007
【図６】
2017164500.tif 000008
【図７】
2017164500.tif 000009
【図８】
2017164500.tif 000010
【図９】
2017164500.tif 000011
【図１０】
2017164500.tif 000012
【図１１】
2017164500.tif 000013
【図１２】
2017164500.tif 000014